(57)【要約】【課題】  撮像部の容積増大を防止するとともに、撮像部からの信号にノイズが混入した際に本体部における処理を正常に停止できるようにする。【解決手段】  被写体を撮像する撮像部１０１と、当該撮像部から送信された信号を処理する本体部１０２とを備え、撮像部１０１と本体部１０２とが分離可能に構成された撮像装置において、撮像部１０１と本体部１０２とを接続するコネクタ部１１０と、撮像部１０１からの信号の変化を検知する検知部１１１とを備え、ＣＰＵ１１３において、検知部１１１による検知結果に応じて、本体部１０２による撮像部１０１の切断処理を行うようにする。【選択図】  図１
2006287542.tif 000002
【特許請求の範囲】
【請求項１】
被写体を撮像する撮像部と、当該撮像部から送信された信号を処理する本体部とを備え、上記撮像部と上記本体部とが分離可能に構成された撮像装置において、
上記撮像部と上記本体部とを接続するコネクタ部と、
上記コネクタ部における上記撮像部からの信号の変化を検知する検知手段と、
上記検知手段による検知結果に応じて、上記本体部による上記撮像部の切断処理を行う切断手段と
を有することを特徴とする撮像装置。
【請求項２】
上記検知手段は、上記撮像部から送信される１つ以上の画像同期信号の変化、あるいはそれらの組み合わせにより上記検知を行うことを特徴とする請求項１に記載の撮像装置。
【請求項３】
上記検知手段は、上記画像同期信号が一定時間変化しない場合に上記検知とすることを特徴とする請求項２に記載の撮像装置。
【請求項４】
上記検知手段は、上記画像同期信号が予め設定された周期と異なるタイミングで変化した場合に上記検知とすることを特徴とする請求項２に記載の撮像装置。
【請求項５】
上記検知手段は、上記撮像部からのシリアル通信による応答の有無により上記検知を行うことを特徴とする請求項１に記載の撮像装置。
【請求項６】
上記切断手段による上記撮像部の切断処理の際には、上記撮像部を電気的に切断する旨の警告を出力する処理を含むことを特徴とする請求項１に記載の撮像装置。
【請求項７】
被写体を撮像する撮像部と、当該撮像部から送信された信号を処理する本体部と、上記撮像部と上記本体部とを接続するコネクタ部とを備え、上記撮像部と上記本体部とが分離可能に構成された撮像装置に用いる動作処理方法において、
上記コネクタ部における上記撮像部からの信号の変化を検知する検知ステップと、
上記検知ステップによる検知結果に応じて、上記本体部による上記撮像部の切断処理を行う切断ステップと
を有することを特徴とする撮像装置の動作処理方法。
【請求項８】
上記検知ステップは、上記撮像部から送信される１つ以上の画像同期信号の変化、あるいはそれらの組み合わせにより上記検知を行うことを特徴とする請求項７に記載の撮像装置の動作処理方法。
【請求項９】
上記検知ステップは、上記画像同期信号が一定時間変化しない場合に上記検知とすることを特徴とする請求項８に記載の撮像装置の動作処理方法。
【請求項１０】
上記検知ステップは、上記画像同期信号が予め設定された周期と異なるタイミングで変化した場合に上記検知とすることを特徴とする請求項８に記載の撮像装置の動作処理方法。
【請求項１１】
上記検知ステップは、上記撮像部からのシリアル通信による応答の有無により上記検知を行うことを特徴とする請求項７に記載の撮像装置の動作処理方法。
【請求項１２】
上記切断ステップによる上記撮像部の切断処理の際には、上記撮像部を電気的に切断する旨の警告を出力する処理を含むことを特徴とする請求項７に記載の撮像装置の動作処理方法。
【発明の詳細な説明】
【技術分野】
【０００１】
本発明は、被写体を撮像する撮像部と、当該撮像部から送信された信号を処理する本体部とを分離可能な撮像装置及びその動作処理方法に関するものである。
【背景技術】
【０００２】
近年、ＰＤＡなどの情報機器に、オプションとしてレンズ、ＣＣＤなど撮像部を備えたカメラ部を装備した製品が出されている。これは、カメラ部を装着することにより、本体に備えてある表示部をファインダーとして用いて撮像機能を実現するものである。そして、本体部と撮像部が分離してあるため、動作中に撮像部が抜去された場合でも処理がハングアップしないように抜去検知機構として、撮像部側に検知スイッチを設けている。
【０００３】
図８は、従来における分離型撮像装置のハード構成を示したブロック図である。
図８に示す８０１が撮像部、８０２が本体部である。
【０００４】
撮像部８０１において、８０３はレンズなどの光学系、８０４はレンズを通り入射した光を受光するＣＣＤ（Charge Coupled Device）、８０５はＣＣＤを制御するとともに、ＣＣＤからのアナログ信号をＡ／Ｄ変換し、後述するＤＳＰ８０６へ送る信号処理部、８０６は本体部８０２からの信号を受けて、撮像部８０１全体の制御を行うＤＳＰ（Digital Signal Processor）、８０７はワーク領域として用いるＲＡＭ、８０８はプログラムや設定を記憶しておくＲＯＭ、８０９は撮像部８０１の挿抜を検知するための検知スイッチ、８１０は本体部８０２との接続を行うコネクタ部である。
【０００５】
また、本体部８０２において、８１１は撮像部８０１との接続を行うコネクタ部、８１２は撮像部８０１からの信号を処理する画像信号処理部、８１３は本体部８０２全体の制御を行うＣＰＵ、８１４はプログラムなどを記憶しておくＲＯＭ、８１５はワーク領域として用いるＲＡＭ、８１６は後述するＬＣＤ８１７を制御するＬＣＤ制御部、８１７は表示部として用いるＬＣＤ、８１８は撮像した画像データなどを記憶しておく挿抜可能な二次記憶部である。
【０００６】
そして、従来の分離型撮像装置では、撮像部８０１を本体部８０２から抜去するときには、検知スイッチ８０９を操作してからでないと本体部８０２から抜去できない構成にしておき、検知スイッチ８０９が操作されたことをコネクタ部８１０、８１１を通してＣＰＵ８１３が検知して、このＣＰＵ８１３が撮像アプリケーションの停止などの撮像部８０１の切断処理を行うようにしていた。
【発明の開示】
【発明が解決しようとする課題】
【０００７】
しかしながら、上述した従来の分離型撮像装置では、撮像部８０１に検知スイッチ８０９を設けていたために、撮像部８０１の容積増大や接続する信号線の増大を招き、コストアップの要因となっていた。また、何らかの原因で撮像部８０１からの信号にノイズが混入してＣＰＵ８１３への入力信号が乱れた場合には、従来の分離型撮像装置では、撮像部８０１の抜去の検知を行うことができず、結果として本体部８０２のハングアップを回避することができないという問題があった。
【０００８】
本発明は上述の問題点にかんがみてなされたものであり、撮像部の容積増大を防止するとともに、撮像部からの信号にノイズが混入した際に本体部における処理を正常に停止できるようにすることを目的とする。
【課題を解決するための手段】
【０００９】
本発明は、被写体を撮像する撮像部と、当該撮像部から送信された信号を処理する本体部とを備え、上記撮像部と上記本体部とが分離可能に構成された撮像装置において、上記撮像部と上記本体部とを接続するコネクタ部と、上記コネクタ部における上記撮像部からの信号の変化を検知する検知手段と、上記検知手段による検知結果に応じて、上記本体部による上記撮像部の切断処理を行う切断手段とを有することを特徴とする撮像装置等を提供する。
【発明の効果】
【００１０】
本発明によれば、撮像部に検出機構を設けることなく、撮像部の抜去を検知することができるため、撮像部の容積増大、コストアップを防止することができる。また、撮像部からの信号にノイズが混入した際においても、上記撮像部の切断処理を行うことにより、本体部における処理を正常に停止することができる。
【発明を実施するための最良の形態】
【００１１】
以下、本発明に係る実施形態を図面を参照して詳細に説明する。
【００１２】
（第１の実施形態）
図１は、本発明の第１の実施形態に係る分離型撮像装置のハード構成を示すブロック図である。図１に示す１０１は被写体を撮像する撮像部、１０２は撮像部１０１から送信された信号を処理する本体部である。また、撮像部１０１と本体部１０２とは分離可能に構成されている。
【００１３】
撮像部１０１において、１０３はレンズなどの光学系、１０４はレンズを通り入射した光を受光するＣＣＤ（Charge Coupled Device）、１０５はＣＣＤを制御するとともに、ＣＣＤからのアナログ信号をＡ／Ｄ変換し、後述するＤＳＰ１０６へ送る信号処理部、１０６は本体部１０２からの信号を受けて、撮像部１０１全体の制御を行うＤＳＰ（Digital Signal Processor）、１０７はワーク領域として用いるＲＡＭ、１０８はプログラムや設定を記憶しておくＲＯＭ、１０９は本体部１０２との接続を行うコネクタ部である。
【００１４】
また、本体部１０２において、１１０は撮像部１０１との接続を行うコネクタ部、１１１は撮像部１０１からの信号の変化を検知する検知部、１１２は撮像部１０１からの信号を処理する画像信号処理部、１１３は本体部１０２全体の制御を行うＣＰＵ、１１４はプログラムなどを記憶しておくＲＯＭ、１１５はワーク領域として用いるＲＡＭ、１１６は後述するＬＣＤ１１７を制御するＬＣＤ制御部、１１７は表示部として用いるＬＣＤ、１１８は撮像した画像データなどを記憶しておく挿抜可能な二次記憶部である。
【００１５】
ここで、コネクタ部１０９、１１０は、ファインダー表示のための信号（ＣＣＩＲ６５６準拠）を送受信する手段と、ＤＳＰ１０６で圧縮された画像データを送受信する手段と、撮像部１０１と本体部１０２との間で制御のやり取りを行うシリアル通信手段とから成っている。
【００１６】
まず、撮像部１０１と本体部１０２が接続している場合のファインダー動作について説明する。
光学系１０３を通して入射した光はＣＣＤ１０４で受光され、電気信号へ変換される。このときＣＣＤ１０４は、信号処理部１０５によりドラフトモードと呼ばれるモードで動作し、一部の画素データのみが読み出される。そして、変換された信号は、信号処理部１０５に送られる。信号処理部１０５では、ゲイン・コントロールやＡ／Ｄ変換などが行われ、処理した信号をＤＳＰ１０６へ送る。
【００１７】
ＤＳＰ１０６では、ＲＡＭ１０７、ＲＯＭ１０８を使いながら、欠陥画素補正や色補正、輪郭強調、リサイズなどの各種画像処理を行う。この際の各種画像処理動作については、既知の技術であるのでその説明は省略する。ＤＳＰ１０６で処理された信号は、ＣＣＩＲ６５６準拠の信号に変換されてコネクタ部１０９から送出される。
【００１８】
図２は、本発明の第１の実施形態に係る分離型撮像装置のファインダー表示信号のタイミングチャートである。図２は、６４０×４８０ドットの大きさを持つ画像情報をインターレース方式にて送出した場合の例を示しいる。
【００１９】
ＦＲＡＭＥ信号２０１は、読み出した信号が垂直方向のＯＤＤ／ＥＶＥＮ（奇数/偶数）どちらのフレームかを示す信号である。ＶＳＹＮＣ信号２０２は垂直同期信号であり、１フレームに１パルス出力される。ＨＳＹＮＣ信号２０３は水平同期信号であり、１ラインに１パルス出力される。ＰＣＬＫ信号２０４はデータの種別を区別するために用いられる信号であり、１３．５ＭＨｚの周期を持っている。
【００２０】
ＰＣＬＫ＿ＤＯＵＢＬＥ信号２０５はデータの同期信号であり、２７ＭＨｚの周期を持っている。ＦＩＮＤＥＲ＿ＤＡＴＡ信号２０６はデータ信号であり、８ビット幅を備えている。ここで、データ信号はＹＣｂＣｒ形式で送出され、図２に示すようにＣｂ／ＣｒデータとＹデータが順番に送出される。
【００２１】
さて、コネクタ部１０９から送出されたＦＩＮＤＥＲ＿ＤＡＴＡ信号２０６は、接続された本体部１０２のコネクタ部１１０で受信される。そして、コネクタ部１１０で受信された信号は、検知部１１１に送られ、図２に示すように正しいフォーマットで信号が受信されているか否かが判定される。
【００２２】
検知部１１１は、コネクタ部１１０において正しいフォーマットで信号が受信されていると判定されれば、当該信号を画像信号処理部１１２へ送る。そして、画像信号処理部１１２ではＹＣｂＣｒ形式のデータをＲＧＢ形式に変換し、変換により生成された画像データをＲＡＭ１１５へ書き込む。
【００２３】
次に、ＬＣＤ制御部１１６は、しかるべきタイミングに従い、ＲＡＭ１１５から上記書き込まれた画像データを読み出して、ＬＣＤ１１７へ送出する。
【００２４】
以上の動作を繰り返すことにより、光学系１０３に取り込まれた画像が連続してＬＣＤ１１７にファインダー画像として表示される。
【００２５】
ここで、図３に示したタイミングＡで撮像部１０１が本体部１０２から不意に抜去されたとする。この場合、検知部１１１は、垂直同期信号（ＶＳＹＮＣ信号）２０２が一定期間（１/６０秒）以上変化しないことを検知し、ＣＰＵ１１３及び画像信号処理部１１２に対してその旨通知する。
【００２６】
ＣＰＵ１１３は、当該通知を受け取ると、ＬＣＤ１１７に警告メッセージを表示するとともに、撮像アプリケーションを停止する。また、画像信号処理部１１２は、当該通知を受け取ると、その動作を停止する。その際、現在処理中のデータが存在する場合は、当該処理を完了し、変換データを全てＲＡＭ１１５へ書き込んだ後に停止する。
【００２７】
図４は、本発明の第１の実施形態に係る分離型撮像装置の動作を示すフローチャートである。
まず、ステップＳ４０１では、検知部１１１は、撮像部１０１が本体部１０２から抜去された否かを判定する。この判定は、上述したように、垂直同期信号２０２が一定期間（１/６０秒）以上変化しないか否かで行われる。この判定の結果、撮像部１０１が本体部１０２から抜去されていない場合には、ステップＳ４０１で待機する。一方、ステップＳ４０１での判定の結果、撮像部１０１が本体部１０２から抜去されたと判定された場合には、ステップＳ４０２に進む。
【００２８】
ステップＳ４０２では、検知部１１１は、撮像部１０１が本体部１０２から抜去されたことを検知した旨をＣＰＵ１１３及び画像信号処理部１１２に通知する。
【００２９】
ステップＳ４０３では、検知部１１１から上記通知を受けた画像信号処理部１１２において、現在処理中のデータがあるか否かを判定する。この判定の結果、現在処理中のデータが存在する場合には、ステップＳ４０４へ進み、データの処理を行う。具体的には、データ形式の変換を行い、ＲＡＭ１１５へデータを書き込む。ステップＳ４０４の処理が終了した場合、あるいは、ステップＳ４０３での判定の結果、現在処理中のデータがないと判定された場合、続いて、ステップＳ４０５へ進み、画像信号処理部１１２の停止処理を行う。そして、停止処理の終了後、画像信号処理部１１２の停止処理が終了した旨がＣＰＵ１１３に通知される。
【００３０】
一方、ステップＳ４０６では、検知部１１１から撮像部１０１が本体部１０２から抜去されたことを検知した旨の通知を受けたＣＰＵ１１３において、現在動作中の撮像アプリケーションの停止処理を行う。続いて、ステップＳ４０７では、ＣＰＵ１１３は、ＬＣＤ１１７に警告メッセージを出力する。続いて、ステップＳ４０８では、ＣＰＵ１１３は、画像信号処理部１１２から停止処理の終了の通知があるか否かを判定する。この判定の結果、停止処理の終了の通知がないと判定された場合には、ステップＳ４０８で待機する。一方、ステップＳ４０８の判定の結果、停止処理の終了の通知があると判定された場合には、ＣＰＵ１１３は処理を終了する。
【００３１】
この図４の処理を行うことにより、ＬＣＤ１１７には抜去前の最後の１画面の画像を表示しつつ、動作を正常に停止することが可能となる。
【００３２】
第１の実施形態によれば、ファインダー動作中に撮像部１０１が本体部１０２から不意に抜去された場合においても、上記撮像部の切断処理を行うことにより、本体部１０２をハングアップさせることなくその動作停止させることができる。さらに、撮像部１０１が本体部１０２から抜去されなくても、撮像部１０１からの信号中にノイズが混入して、本体部１０２において、ＬＣＤ１１７で正常に表示し得ない信号が受信された場合でも、画像信号処理部１１２等を暴走させることなくその動作を停止させることができる。
【００３３】
第１の実施形態では、検知部１１１による撮像部１０１の抜去の検知時に、ＬＣＤ１１７に警告メッセージを表示することとしたが、警告の方法としてはこれに限定されるわけでなく、例えば、ブザーを鳴らすことや、ＬＥＤを点滅させるなどすることにより警告を行うようにしてもよい。
【００３４】
（第２の実施形態）
第１の実施形態では、検知部１１１による撮像部１０１の抜去の検知を垂直同期信号が一定時間以上変化しないことを検知することにより行っていたが、他の検知方法とすることも考えられる。以下、本発明の第２の実施形態を図５及び図６を用いて説明する。
【００３５】
図５は、本発明の第２の実施形態に係る分離型撮像装置において、撮像部の抜去の信号のタイミングチャートである。また、図６は、本発明の第２の実施形態に係る分離型撮像装置の動作を示すフローチャートである。
【００３６】
いま、図５に示したタイミングＢで撮像部１０１が本体部１０２から不意に抜去され、その影響で信号が乱れて、垂直同期信号（ＶＳＹＮＣ信号）２０２と水平同期信号（ＨＳＹＮＣ信号）２０３に複数のパルスが出力されてしまったとする。
【００３７】
この場合、図６のステップＳ６０１では、検知部１１１は、所定のタイミングではない時点でのパルス出力を検知し、異常パルスが検知されたか否かを判定する。この判定の結果、異常パルスが検知されていないと判定された場合には、ステップＳ６０１で待機する。一方、ステップＳ６０１での判定の結果、異常パルスが検知されたと判定された場合には、ステップＳ６０２に進む。
【００３８】
ステップＳ６０２では、検知部１１１は、出力された異常パルスが異なった２種類以上の信号であるか否かを判定する。この判定の結果、異常パルスが異なった２種類以上の信号でない、即ち、異常パルスが１種類の信号である場合には、ステップＳ６０３へ進み、当該異常パルスをノイズとみなして当該異常パルスをキャンセルし、処理を終了する。一方、ステップＳ６０２での判定の結果、異常パルスが異なった２種類以上の信号であると判定された場合には、ステップＳ６０４に進む。
【００３９】
ステップＳ６０４では、検知部１１１は、異常パルスが異なった２種類以上の信号である旨をＣＰＵ１１３及び画像信号処理部１１２に通知する。
【００４０】
ステップＳ６０５では、検知部１１１から上記通知を受けた画像信号処理部１１２において、即座に自身の処理を停止して、処理中のデータを破棄する。その後、停止処理が終了した旨をＣＰＵ１１３へ通知する。
【００４１】
一方、ステップＳ６０６では、検知部１１１から異常パルスが異なった２種類以上の信号である旨の通知を受けたＣＰＵ１１３において、現在動作中の撮像アプリケーションの停止処理を行う。続いて、ステップＳ６０７では、ＣＰＵ１１３は、ＬＣＤ１１７に警告メッセージを出力する。続いて、ステップＳ６０８では、ＣＰＵ１１３は、画像信号処理部１１２から停止処理の終了の通知があるか否かを判定する。この判定の結果、停止処理の終了の通知がないと判定された場合には、ステップＳ６０８で待機する。一方、ステップＳ６０８の判定の結果、停止処理の終了の通知があると判定された場合には、ＣＰＵ１１３は処理を終了する。
【００４２】
この図６の処理を行うことにより、ＬＣＤ１１７での表示の乱れを最小限に抑え、かつ動作を正常に停止することが可能となる。
【００４３】
第２の実施形態によれば、垂直同期信号または水平同期信号のどちらかが間違ったパルス出力を行った場合でも、それをノイズとみなしてキャンセルし、しかも表示が乱れないように通常の動作を続けることが可能となる。
【００４４】
第１の実施形態では、検知部１１１により垂直同期信号と水平同期信号のパルスを検知することとしたが、他のフレーム信号、クロック信号、あるいはそれらの組み合わせによる検知を行うようにしてもよい。
【００４５】
（第３の実施形態）
上述した第１及び第２の実施形態では、ファインダー信号における検知部１１１による検知例を示したが、これを圧縮データやシリアルデータの検知としてもよい。そこで、第３の実施形態では、検知部１１１による検知としてシリアルデータによる検知例を説明する。
【００４６】
図７は、本発明の第２の実施形態に係る分離型撮像装置の動作を示すフローチャートである。
まず、ステップＳ７０１では、撮像アプリケーションの動作が開始されたか否かを判定する。この判定の結果、撮像アプリケーションの動作が開始されていないと判定された場合には、ステップＳ７０１で待機する。一方、ステップＳ７０１での判定の結果、撮像アプリケーションの動作が開始されたと判定された場合には、ステップＳ７０２に進む。
【００４７】
ステップＳ７０２では、一定時間待機（Wait）した後、ステップＳ７０３に進み、ＵＡＲＴを用いて、本体部１０２から撮像部１０１へ予め決められた動作確認用コマンドを送信する。
【００４８】
続いて、ステップＳ７０４では、撮像部１０１から応答があったか否かを判定する。この判定の結果、応答があったと判定された場合は、ステップＳ７０２に戻る。一方、ステップＳ７０４での判定の結果、応答がなかったと判定された場合には、ステップＳ７０５に進む。続いて、ステップＳ７０５では、さらに一定時間経過するまでステップＳ７０４との間で処理を繰り返す。そして、一定時間経過して応答がない場合は、ステップＳ４０２に進む。
【００４９】
その後、図７のステップＳ４０２〜ステップＳ４０８では、第１の実施形態における図４に示したステップＳ４０２〜ステップＳ４０８と同様の処理が行われる。
【００５０】
本発明における第１〜第３の実施形態では、撮像部１０１と本体部１０２との接続手段としてコネクタを用いる形態を示したが、これを無線により接続を行うようにしてもよい。この無線接続による接続が行われている際に、撮像部１０１にバッテリを搭載している場合、電気的な接続は必要ないため、別途筐体同士を機械的に接続する場合を除き機械的なスイッチは意味をなさないが、本発明によれば無線接続においても何らかの要因で信号が途切れた場合の対応として効果は期待できる。
【００５１】
上述した本発明の実施形態による分離型撮像装置を構成する図１の各手段、並びに分離型撮像装置の動作処理方法を示した図４、６、７の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００５２】
具体的に、上記プログラムは、例えばＣＤ−ＲＯＭのような記憶媒体に記録し、あるいは各種伝送媒体を介し、コンピュータに提供される。上記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００５３】
また、コンピュータが供給されたプログラムを実行することにより本実施形態の機能が実現されるだけでなく、そのプログラムがコンピュータにおいて稼働しているＯＳ（オペレーティングシステム）あるいは他のアプリケーションソフト等と共同して本実施形態の機能が実現される場合や、供給されたプログラムの処理の全て、あるいは一部がコンピュータの機能拡張ボードや機能拡張ユニットにより行われて本実施形態の機能が実現される場合も、かかるプログラムは本発明に含まれる。
【図面の簡単な説明】
【００５４】
【図１】本発明の第１の実施形態に係る分離型撮像装置のハード構成を示すブロック図である。
【図２】本発明の第１の実施形態に係る分離型撮像装置のファインダー表示信号のタイミングチャートである。
【図３】本発明の第１の実施形態に係る分離型撮像装置において、撮像部の抜去の信号のタイミングチャートである。
【図４】本発明の第１の実施形態に係る分離型撮像装置の動作を示すフローチャートである。
【図５】本発明の第２の実施形態に係る分離型撮像装置において、撮像部の抜去の信号のタイミングチャートである。
【図６】本発明の第２の実施形態に係る分離型撮像装置の動作を示すフローチャートである。
【図７】本発明の第２の実施形態に係る分離型撮像装置の動作を示すフローチャートである。
【図８】従来における分離型撮像装置のハード構成を示したブロック図である。
【符号の説明】
【００５５】
１０１  撮像部
１０２  本体部
１０３  光学系
１０４  ＣＣＤ
１０５  信号処理部
１０６  ＤＳＰ（Digital Signal Processor）
１０７  ＲＡＭ
１０８  ＲＯＭ
１０９、１１０  コネクタ部
１１１  検知部
１１２  画像信号処理部
１１３  ＣＰＵ
１１４  ＲＯＭ
１１５  ＲＡＭ
１１６  ＬＣＤ制御部
１１７  ＬＣＤ
１１８  二次記憶部
【図１】
2006287542.tif 000003
【図２】
2006287542.tif 000004
【図３】
2006287542.tif 000005
【図４】
2006287542.tif 000006
【図５】
2006287542.tif 000007
【図６】
2006287542.tif 000008
【図７】
2006287542.tif 000009
【図８】
2006287542.tif 000010